(57)【特許請求の範囲】
【請求項１】
カプセル型内視鏡と、
該カプセル型内視鏡に磁力を作用させ、体外からカプセル型内視鏡を誘導操作する磁界作用手段とを備えるカプセル型内視鏡の誘導装置であって、
前記磁界作用手段が、
同極を対向させた配置とした第１の永久磁石及び第２の永久磁石と、
前記第１の永久磁石と第２の永久磁石の対向する磁極間に装着された磁性スペーサ材とを備え、
前記磁性スペーサ部材が、歯車形状に形成されていることを特徴とするカプセル型内視鏡の誘導装置。
【請求項２】
カプセル型内視鏡と、
該カプセル型内視鏡に磁力を作用させ、体外からカプセル型内視鏡を誘導操作する磁界作用手段とを備えるカプセル型内視鏡の誘導装置であって、
前記磁界作用手段が、
同極を対向させた配置とした第１の永久磁石及び第２の永久磁石と、
前記第１の永久磁石と第２の永久磁石の対向する磁極間に装着された磁性スペーサ材とを備え、
前記第１の永久磁石と第２の永久磁石の軸線方向の外端面に、第１の磁性材と第２の磁性材がそれぞれ装着されていることを特徴とするカプセル型内視鏡の誘導装置。
【請求項３】
前記磁性スペーサ部材が、歯車形状に形成されていることを特徴とする請求項２記載のカプセル型内視鏡の誘導装置。
【請求項４】
前記磁性スペーサ材が、径方向に着磁された径方向着磁磁石であることを特徴とする請求項１〜３のいずれか一項記載のカプセル型内視鏡の誘導装置。
【発明の詳細な説明】
【技術分野】
【０００１】
本発明は、内服したカプセル型内視鏡を体内において誘導操作するカプセル型内視鏡の誘導装置に関する。
【背景技術】
【０００２】
カプセル型内視鏡は内服型の内視鏡であり、近年、人体の内臓器官の検査に用いられるようになってきた。カプセル型内視鏡は円筒状のカプセル内に、内臓器官を撮影する撮影機構と、撮影した映像情報を外部に送信する通信機構と、これらの機構を駆動する電源とを内蔵している。
カプセル型内視鏡は器官の蠕動運動により人体内を通過しながら内臓器官の内部を撮影するが、撮影する部位を調整したり、移動位置を調整したりするための機構として、磁界（磁力）を利用してカプセル型内視鏡の位置を調節する手段が検討されている。磁界を利用してカプセル型内視鏡の位置を調節する方法としては、カプセル型内視鏡に永久磁石を内蔵させ、コイルや永久磁石を利用して磁力によりカプセル型内視鏡を位置調節する方法等が提案されている（特許文献１〜４等）。
【先行技術文献】
【特許文献】
【０００３】
【特許文献１】特表２００８−５０３３１０号公報
【特許文献２】特開２００４−２９８５６０号公報
【特許文献３】特開２００５−５２５０２号公報
【特許文献４】特表２００７−２１６０４０号公報
【非特許文献】
【０００４】
【非特許文献１】田代他、「対向配置磁石を用いた交流磁界発生装置用磁性材料形状の最適化」、電気学会マグネティックス研究会資料、MAG-12-84、pp.17-20、2012
【発明の概要】
【発明が解決しようとする課題】
【０００５】
上述したように、カプセル型内視鏡は磁力を利用して体外から誘導操作することにより所要位置に移動させて検査を行い、最終的に体外へ排出させるが、内臓器官によっては、大腸の屈曲部のようなカプセル型内視鏡が通過し難い部位があり、器官内でカプセルが滞留してしまい、排出が困難になる場合がある。
カプセル型内視鏡の排出が困難になった場合の対処方法としては、ゼリー状の食品を飲み込んでカプセルの移動を促すといった方法があるが、確実にカプセルを排出できるとは限らない。
【０００６】
近年、小腸用、大腸用として提供されているカプセル型内視鏡には、撮影機構の起動をON-OFFする磁気スイッチを内蔵したものがある。磁気スイッチは磁界の強さが一定以下になるとスイッチがONとなるように設定されており、不使用時にはカプセル型内視鏡は磁気スイッチをOFFにする磁石を内蔵した収納ケースに収納され、収納ケースからカプセル型内視鏡を取り出すと、磁気スイッチがONとなって使用状態になる。したがって、このような磁気スイッチを内蔵したカプセル型内視鏡では、磁力を用いてカプセル型内視鏡を誘導動作させる場合に、強い磁界を作用させると機能が停止するという問題がある。
【０００７】
本発明は、内臓器官内で滞留してしまったカプセル型内視鏡の滞留を解消し、磁気スイッチを内蔵するカプセル型内視鏡を使用する場合であっても、カプセル型内視鏡の機能を停止させることなくカプセル型内視鏡を的確に誘導することができる簡易な構成を有するカプセル型内視鏡の誘導装置を提供することを目的とする。
【課題を解決するための手段】
【０００８】
本発明に係るカプセル内視鏡の誘導装置は、カプセル型内視鏡と、該カプセル型内視鏡に磁力を作用させ、体外からカプセル型内視鏡を誘導操作する磁界作用手段とを備えるカプセル型内視鏡の誘導装置であって、前記磁界作用手段が、同極を対向させた配置とした第１の永久磁石及び第２の永久磁石と、前記第１の永久磁石と第２の永久磁石の対向する磁極間に装着された磁性スペーサ材とを備え、前記磁性スペーサ部材が、歯車形状に形成されていることを特徴とし、また他の発明として、前記第１の永久磁石と第２の永久磁石の軸線方向の外端面に、第１の磁性材と第２の磁性材がそれぞれ装着されていることを特徴とする。
前記磁界作用手段は、磁性スペーサ材を介在させることにより、第１の永久磁石と第２の永久磁石を同極を対向させた配置として磁性スペーサ材に磁気吸着して支持することができ、同極を対向させて第１の永久磁石と第２の永久磁石を配置することにより、磁性スペーサ材の径方向（ 磁界作用手段の軸線方向に直交する方向） に強い磁界を集中させて発生させることができる。本発明に係るカプセル型内視鏡の誘導装置は、永久磁石を利用して磁界作用手段から径方向に強い磁界を発生させることによりカプセル型内視鏡を誘導操作することを可能にする。
【０００９】
なお、前記磁界作用手段として、前記磁性スペーサ材が、歯車形状に形成されているものを用いることにより、磁界作用手段の周囲に発生する磁界のパターンを周方向に強弱となる磁界パターンとすることができ、この磁界パターンを利用することによりカプセル型内視鏡を好適に誘導操作することができる。歯車形状の磁性スペーサ材の歯数や歯の高さ、磁性スペーサ材の長さ等を調節することにより、磁界作用手段の磁界の強度や磁界が及ぶ領域を調節することができる。
また、前記磁界作用手段として、前記第１の永久磁石と第２の永久磁石の軸線方向の外端面に、第１の磁性材と第２の磁性材を装着する構成とすることにより、磁界作用手段の周囲に生じる磁界の強さや磁界パターンを調節することができる。
また、前記磁界作用手段の前記磁性スペーサ材が、径方向に着磁された径方向着磁磁石である場合には、第１の永久磁石と第２の永久磁石による磁界作用に径方向着磁磁石による磁界作用が付加され、磁界作用手段の周囲に発生する磁界強度を強くさせることができ、比較的遠くまで磁界作用を及ぼすことができる。
【発明の効果】
【００１０】
本発明に係るカプセル型内視鏡の誘導装置によれば、体内に内服されたカプセル型内視鏡に作用させる磁力を適宜調節することができ、体外から効果的にカプセル型内視鏡に磁力を作用させてカプセル型内視鏡を的確に誘導操作することができる。また、内臓器官内でカプセル型内視鏡が滞留した場合にカプセル型内視鏡の滞留を解消するといった操作にも利用することができる。
【図面の簡単な説明】
【００１１】
【図１】本発明に係るカプセル型内視鏡の誘導システムの概略構成を示す説明図である。
【図２】磁界作用手段の外観写真である。
【図３】歯車形状の磁性スペーサ材を使用した磁界作用手段の斜視図、正面図、側面図である。
【図４】磁性スペーサ材の歯の深さと、歯先と歯の谷の部分から発生する磁束密度の差との関係を示すグラフである。
【図５】円柱状の磁性スペーサ材を用いて磁界作用手段を構成した正面図と側面図である。
【図６】図５に示す磁界作用手段について、磁性スペーサ材の長さを変えたときに磁性スペーサ材の中心位置の周囲に生じる磁界の強度の実測値と解析値を示すグラフである。
【図７】磁性スペーサ材の中心位置で径方向に離間する距離による磁界強度を示すグラフである。
【図８】歯車形状の磁性スペーサ材を用いる磁界作用手段の他の構成例を示す説明図である。
【図９】磁界作用手段のさらに他の構成例を示す説明図である。
【図１０】径方向着磁磁石を使用した磁界作用手段の径方向の磁束密度の解析結果を示すグラフである。  図１０では
【発明を実施するための形態】
【００１２】
（カプセル型内視鏡の誘導装置）
図１は本発明に係るカプセル型内視鏡の誘導装置の概略構成を示す。本発明に係るカプセル型内視鏡の誘導装置は、カプセル型内視鏡１０と、体内に内服されたカプセル型内視鏡１０に磁力を作用させ、体外からカプセル型内視鏡１０を誘導操作する磁界作用手段２０とを備える。
【００１３】
磁界作用手段２０は永久磁石の磁力を利用してカプセル型内視鏡１０を誘導するためのものであり、同極（N極-N極、S極-S極）を対向させて配置した第１の永久磁石２１a及び第２の永久磁石２１ｂと、第１の永久磁石２１aと第２の永久磁石２１ｂの対向する磁極間に介装した磁性スペーサ材２２とを備える。
第１の永久磁石２１aと第２の永久磁石２１ｂは、同極を対向させた配置としては相互に磁気的に吸着されないが、磁極間に磁性材(磁性スペーサ材２２）を介在させることにより、相互に磁気的な吸着力が作用し一体的に吸着する。
【００１４】
このように磁性スペーサ材を介して、同極を対向させて２つの永久磁石を配置すると、磁性スペーサ材２２の径方向（側方）に強い磁界が発生する。これは、磁性スペーサ材２２と２つの永久磁石の空間的な配置により、磁性スペーサ材２２の中央部から径方向に向かう磁界の成分が生じることと、２つの永久磁石の磁界が重畳することにより単一の磁石よりも磁気作用が増強されることによる。
【００１５】
本発明に係るカプセル型内視鏡の誘導装置は、２つの永久磁石と磁性スペーサ材とから構成した磁界作用手段２０を利用して、体内に内服されたカプセル型内視鏡１０を磁気的に誘導するためのものである。磁界作用手段２０は比較的長距離まで磁力が作用するから、その磁力を利用して体内にあるカプセル型内視鏡１０を誘導操作することができる。磁界作用手段は永久磁石の磁力を利用するものであるが、ある程度の磁束密度を備える永久磁石を使用することにより、内服されたカプセル型内視鏡１０の誘導操作に十分寄与し得る磁力を作用させることができる。
【００１６】
磁界作用手段２０を利用してカプセル型内視鏡１０を誘導する際には、たとえば内臓器官内で滞留しているカプセル型内視鏡１０に磁界作用手段２０から磁力を作用させ、カプセル型内視鏡１０を磁力で吸引して移動させる操作を行ったり、カプセル型内視鏡１０に振動的に繰り返し磁力を作用させることで、滞留しているカプセル型内視鏡１０を振動（揺動）させることで誘導することができる。
【００１７】
カプセル型内視鏡１０は電源用の小型の電池を内蔵していたり、外部からの磁界操作用として小型の永久磁石を内蔵していたりする。小型の電池はケースがステンレス製で強磁性化している、いずれの場合も、カプセル型内視鏡１０に磁力を作用させることにより、カプセル型内視鏡１０を誘導操作することができる。
【００１８】
本発明に係るカプセル型内視鏡の誘導装置において用いる磁界作用手段は、２つの永久磁石を同極を対向させた配置とした構成が特徴的である。以下では、磁界作用手段のいくつかの構成例について説明する。
【００１９】
（磁界作用手段：歯車形状の磁性スペーサ材）
図２は、本発明に係るカプセル型内視鏡の誘導装置において用いる磁界作用手段を実際に作製した例である。この磁界作用手段は、第１の永久磁石２１aと第２の永久磁石２１ｂが磁界作用手段２０の軸線方向に着磁され、それぞれN極を対向させて配置されている。第１の永久磁石２１ａと第２の永久磁石２１ｂの磁極間に装着されている磁性スペーサ材２２は４枚の歯を備える歯車形状をなす。磁性スペーサ材２２の歯の部分の端面の高さは、円板状をなす第１の永久磁石２１aと第２の永久磁石２１ｂの外周面の位置と一致する。
【００２０】
図２に示すように、歯車形状の磁性スペーサ材２２を介して、同極を対向させ、第１の永久磁石２１aと第２の永久磁石２１ｂを配置すると、磁性スペーサ材２２の周囲には、磁界作用手段２０の軸線方向に直交する向き（径方向：図２の矢印）に強い磁界が発生する。
また、磁性スペーサ材２２を歯車形状としたことにより、磁性スペーサ材２２の歯の部分（凸部）からは谷の部分（凹部）よりも強い磁界が発生し、磁性スペーサ材２２の周囲の磁界パターンは、磁界が強くなる領域と弱くなる領域が周方向に交互に生じる磁界構成となる。
【００２１】
図３は、歯車形状の磁性スペーサ材を使用した磁界作用手段で磁性スペーサ材の歯数pを４とした場合の、斜視図、正面図、側面図を示す。
図４は歯車形状の磁性スペーサ材を備える磁界作用手段において、磁性スペーサ材の歯の深さ（高さ）と、歯先と歯の谷の部分から発生する磁束密度の差を示す。
図４では、磁性スペーサ材の歯数Pが２、３、４、５の場合について、磁性スペーサ材の長手方向の中央位置で、磁性スペーサ材の中心位置から25mm離間した位置における磁束密度B(25、0)の変化分、すなわち磁束密度が最も大きくなる歯先と、最も小さくなる谷の位置における磁束密度の差を示す。
図４に示す値は、第１及び第２の永久磁石として、径25ｍｍ、厚さ10ｍｍ、表面磁束密度460ｍTのネオジウム磁石を使用し、磁性スペーサ材（S45C)の長さ50ｍｍ、径25ｍｍ、中心孔径6ｍｍ、歯の深さ6ｍｍとしたときの計算値である。
【００２２】
図４から、磁束密度の変化分は歯数pが２のときに最大で、歯数を多くしていくと変化分が小さくなる。磁性スペーサ材の歯数を多くすると、歯先と歯の谷の位置における磁界の強さが均等化され、歯の深さ（高さ）を深くしても、磁束密度の変化分は小さくなる。逆に、歯の数を少なくすると、磁束密度の変化分は大きくなり、磁性スペーサ材の歯の部分から集中的に磁界が発生する。
【００２３】
このような歯車形状の磁性スペーサ材による作用を考慮すると、歯数の少ない磁性スペーサ材は、磁界を集中的に作用させ、長距離まで磁力を作用させてカプセル型内視鏡を誘導するといった操作に適する。一方、歯数の多い磁性スペーサ材は、磁性スペーサ材の周囲に生じる磁界強度が周期的に変化するから、カプセル型内視鏡に磁力をバイブレーション的に作用させて誘導させるといった操作に適する。
図４は磁性スペーサ材の長さを50ｍｍ、直径を25ｍｍとした場合であるが、磁性スペーサ材の長さや径寸法を変えることにより、磁界作用手段の周囲に発生する磁界の強度を変えたり磁界パターンを変えることができる。
【００２４】
図５は、円柱状の磁性スペーサ材を用いて磁界作用手段を構成した例で、図６、７は、このような構成を備える磁界作用手段の周囲に生じる磁界強度を示す。なお、第１の永久磁石と第２の永久磁石は、外径25mm、厚さ10mm、表面磁束密度460ｍT、磁性スペーサ材（S454C）は外径25mmであり、第１の永久磁石、第２の永久磁石、磁性スペーサ材の中心孔径は6mmである。
【００２５】
図６は、磁性スペーサ材の長さｌを変えたときに磁性スペーサ材の周囲に生じる磁界の強度の実測値と解析値を示す。磁界強度は磁性スペーサ材の中心位置から径方向に12.5mmの位置(r、z)＝(12.5、0）、すなわち磁性スペーサ材の表面における値を示す。
図６に示す実測値と解析値は、磁性スペーサ材が長くなるにしたがって、磁性スペーサ材の中心位置における径方向の磁界強度が弱くなることを示す。図６に示す磁性スペーサ材の長さと磁性スペーサ材の周囲の磁界強度との関係は、歯車形状の磁性スペーサ材を用いる場合も同様の傾向を示すと考えられる。
【００２６】
図７は、磁性スペーサ材の中心位置において、径方向に離間する距離により磁界強度がどのように変化するかを示す。図７では、図５の磁性スペーサ材の長さｌを5mmとした場合と50mmとした場合について、実測値と解析値を示す。図７の横軸は磁性スペーサ材の表面からの離間距離を示す。
図７から、磁性スペーサ材から径方向に離れるにしたがって磁界強度が弱くなり、磁性スペーサ材が長い方が、磁性スペーサ材から遠距離における磁界強度が強くなることがわかる。磁性スペーサ材が歯車形状の場合も同様の傾向を示すと考えられる。
【００２７】
図４，６，７に示したように、歯車形状の磁性スペーサ材と第１の永久磁石、第２の永久磁石から構成した磁界作用手段は、磁性スペーサ材の歯の数、歯の高さを変えること、磁性スペーサ材の長さを変えることにより、磁界作用手段の周囲に生じる磁界の強さと、磁界作用手段の周囲に生じる磁界のパターンを変えることができる。
内服されたカプセル型内視鏡に磁力を作用させてカプセル型内視鏡を誘導操作する際には、その操作用途に合わせて磁界作用手段を使用する必要がある。歯車形状の磁性スペーサ材と２つの永久磁石を組み合わせて構成した磁界作用手段は、作用させる磁界パターンや磁界強度を適宜調整することができるという利点がある。
【００２８】
（磁界作用手段：磁性材を付加）
図８は、歯車形状の磁性スペーサ材を用いる磁界作用手段の他の構成例を示す。この実施例の磁界作用手段２６は、歯車形状の磁性スペーサ材２２を対向する磁極間に挟む配置とした第１、第２の永久磁石２１a、２１ｂの軸線方向の外側にさらに第１の磁性材２４ａと第２の磁性材２４ｂを装着したものである。
この磁界作用手段２６では、第１の磁性材２４ａと第２の磁性材２４ｂを、第1、第２の永久磁石２１ａ、２１ｂと同径の円柱体状に形成し、第１、第２の永久磁石２１ａ、２１ｂに装着している。
【００２９】
図８に示す磁界作用手段２６も、第１の永久磁石２１ａと第２の永久磁石２１ｂを互いに同極を対向させて配置したことにより、磁性スペーサ材２２から径方向に磁界が発生する。ただし、磁界作用手段２６では、第１、第２の永久磁石２１ａ、２１ｂに第１、第２の磁性材２４ａ、２４ｂを連結しているから、図８に示すように、磁界作用手段２６の周囲に生じる磁界（B)は、磁性スペーサ材２２と第１、第２の永久磁石２１ａ、２１ｂとを連結したときの磁界（A)とは磁界のパターンが異なるものとなる。
【００３０】
第１、第２の磁性材２４ａ、２４ｂを付加した磁界作用手段２６は、第１、第２の磁性材２４ａ、２４ｂを備えない磁界作用手段２０から発生する磁界パターンを変える方法として効果的に利用でき、第１、第２の磁性材２４ａ、２４ｂの長さを変えるといった方法で、磁界作用手段２６から発生する径方向の磁界の強さや、その周囲の磁界パターンを変えることができる。
カプセル型内視鏡を誘導操作する際は、いろいろな用途や操作に応じて磁界の強さや磁界のパターンを適宜調節できるようにすることが求められる。第１、第２の磁性材２４ａ、２４ｂを付加して磁界作用手段２６の周囲に発生する磁界を調節する方法は、磁界作用手段から生じる磁界を調節する方法として有効に利用することができる。
【００３１】
（磁界作用手段：径方向着磁磁石との組み合わせ）
図９は磁界作用手段のさらに他の構成例を示す。この磁界作用手段２８は、上述した磁性スペーサ材２２にかえて径方向に着磁した径方向着磁磁石２９を使用する構成としたものである。
図９に示す磁界作用手段２８は、径方向着磁磁石２９と第１の永久磁石３０ａ、第２の永久磁石３０ｂをともに同径の円柱体状に形成し、径方向着磁磁石２９を軸線方向に挟んで、第１の永久磁石３０ａと第２の永久磁石３０ｂを同極を対向させて配置している。磁性スペーサ材２２、２６を使用する場合と同様に、径方向着磁磁石２９を介在させることにより、第１の永久磁石３０ａと、径方向着磁磁石２８と、第２の永久磁石３０ｂとは相互に磁気吸着される。
【００３２】
径方向着磁磁石２９を用いて構成した磁界作用手段２８は、磁性スペーサ材２２、２６を使用する磁界作用手段２０、２６と比較して、磁界作用手段２８の周囲に生じる径方向の磁界の強度を強くすることができるという特徴がある。
図１０に、径方向着磁磁石を使用した場合の磁界作用手段の周囲に生じる径方向の磁束密度を解析した結果を示す。磁界強度は径方向の磁界強度が最も強くなる径方向着磁磁石の軸線方向の中央位置（長手方向の中央位置）での値を示す。
図１０では、図５に示した磁界作用手段との比較値をあわせて示す。磁界強度を図５の磁界作用手段の解析条件と一致させるため、第１、第２の永久磁石３０ａ、３０ｂは、外径25mm、厚さ10mm、表面磁束密度460ｍTとし、径方向着磁磁石は、外径25mm、厚さ20mm、表面磁束密度645mTとした。また、第１、第２の永久磁石３０a、３０ｂ、径方向着磁磁石２９の中心孔径を6mmとした。
【００３３】
図１０に示す解析結果は、径方向磁石を用いると、長さ50mm、5mmのいずれの磁性材を用いる場合よりも磁界作用手段の周囲に生じる磁界強度が遠くまで強くなることを示す。したがって、磁性スペーサ材２２、２６を使用する磁界作用手段２２、２６では、径方向の磁界強度がカプセル型内視鏡を誘導するには十分ではない場合に、磁性スペーサ材を径方向着磁磁石に置き換えて使用することが有効である。
【００３４】
径方向着磁磁石を利用する磁界作用手段を使用する場合も、径方向着磁磁石自体の磁界強度を選択したり、第１、第２の永久磁石の磁界強度を選択したりすることが可能であり、また、径方向着磁磁石の長さを調節したり、第１、第２の永久磁石の外側に磁性材を装着したりすることも可能である。また、歯車形状の磁性スペーサ材を径方向に着磁して使用するといったことも可能である。
【００３５】
（カプセル型内視鏡の誘導装置の作用）
本発明に係るカプセル型内視鏡の誘導装置は、同極を対向させた配置とした第１、第２の永久磁石により磁性スペーサ材を軸線方向に挟んで配置した磁界作用手段を用いてカプセル型内視鏡を誘導することを特徴とする。この磁界作用手段は径方向で比較的遠い位置まで作用する磁界を発生させるから、体内に内服されたカプセル型内視鏡を磁力を利用して誘導する操作に効果的に使用することができる。
表面の磁束密度が0.5T程度の磁石を利用することにより、10cm程度の離間距離にあるカプセル型内視鏡を誘導することができる。本発明に係る誘導装置であれば、磁界作用手段の表面での磁束密度を1T程度にすることは容易であり、したがって磁界作用手段を用いて、内服されているカプセル型内視鏡を誘導操作することは十分に可能である。
【００３６】
なお、撮像機構の駆動をON−OFFする磁気スイッチを内蔵するカプセル型内視鏡は、およそ10ｍTの外部磁界が作用すると撮像機構等の駆動がOFFになる。本発明に係る磁界作用手段を備える誘導装置による作用を確かめるため、擬似内臓器官を使用してカプセル型内視鏡を誘導する実験を行い、カプセル型内視鏡をONとしたまま磁界作用手段によりカプセル型内視鏡を誘導することができることを確かめた。本発明に係る誘導装置は、磁界作用手段を手持ちしながら操作することが可能であり、カプセル型内視鏡を誘導しながら内視鏡検査を行うことができるという利点がある。
【００３７】
また、本発明に係る誘導装置は、単に永久磁石を利用する方法と比較して磁界作用手段による磁力を強力にカプセル型内視鏡に作用させることができるから、内臓器官内でカプセル型内視鏡が通過しにくい部位で滞留してしまって通過できなくなったような場合に、カプセル型内視鏡に強い磁界を作用させてカプセル型内視鏡を通過させるという用い方もできる。カプセル型内視鏡に強い磁界を作用させると磁気スイッチはOFFになるが、カプセル型内視鏡の滞留を解消する際に一時的に強い磁界が作用する磁界作用手段を用いてカプセル型内視鏡の滞留を解消する操作を行えばよい。
ればよい。
【００３８】
磁界作用手段を利用してカプセル型内視鏡を誘導操作する際には、体内におけるカプセル型内視鏡の位置を正確に検知しながら操作する必要がある。体内のカプセル型内視鏡の位置を検知する方法としては、カプセル型内視鏡は永久磁石を内蔵していたり、電池ケースのような磁化金属を内蔵したりしているから、これらの磁石や磁性金属を検知してカプセル型内視鏡の位置を検知する従来方法を利用することができる。
【符号の説明】
【００３９】
１０  カプセル型内視鏡
２０、２６、２８  磁界作用手段
２１ａ  第１の永久磁石
２１ｂ  第２の永久磁石
２２  磁性スペーサ材
２４ａ  第１の磁性材
２４ｂ  第２の磁性材
２９  径方向着磁磁石
３０ａ  第１の永久磁石
３０ｂ  第２の永久磁石
【図１】
0006667176.tif 000002
【図２】
0006667176.tif 000003
【図３】
0006667176.tif 000004
【図４】
0006667176.tif 000005
【図５】
0006667176.tif 000006
【図６】
0006667176.tif 000007
【図７】
0006667176.tif 000008
【図８】
0006667176.tif 000009
【図９】
0006667176.tif 000010
【図１０】
0006667176.tif 000011